(57)【特許請求の範囲】
【請求項１】
マストに沿って昇降し、かつ、アッパシャフト及びロアバーを備えるリフトブラケットと、
水平部及び垂直部を有するＬ形に形成され、前記リフトブラケットに対して水平部が上側となる倒立Ｌ形の状態で装着されるフォークと
を備え、
コンテナの荷役作業を行うコンテナスプレッダを装着する大型フォークリフトであって、
前記フォークは、それぞれＬ形に形成された左右の側板と、天板と、底板とを箱形をなすように組み合わせて溶接にて結合することによって構成され、
前記フォークの垂直部における左右の側板の外面の厚み方向の中央部分に、短軸状に形成された左右の継ぎ部材を横向きに突出して溶接し、
前記フォークを前記リフトブラケットに装着するためのフォーク装着板には、シャフト挿通用の取付孔、及び、その取付孔の下側に形成された継ぎ部材嵌め込み用の開口部が形成され、
前記左右の継ぎ部材に、前記左右のフォーク装着板の開口部を嵌め込んだ状態で溶接し、
前記フォークは、前記左右のフォーク装着板のシャフト挿通用の取付孔を前記リフトブラケットのアッパシャフトに嵌め込むことによって装着されるとともに、前記垂直部の下部が前記リフトブラケットのロアバーの前面に当接支持される構成とした
大型フォークリフト。
【発明の詳細な説明】
【０００１】
【発明の属する技術分野】
本発明は、大型フォークリフトに関する。
【０００２】
【従来の技術】
従来のフォークリフトにおけるフォークは、鍛造にて製造されていた。即ち、必要大のインゴットを作成後、これを炉による加熱工程、プレスによる鍛造工程を、規定寸法に達するまで繰り返したのち、プレスによる曲げ加工によってＬ字形に形成し、さらにフォークリフトのリフトブラケットに装着するための孔明け加工を行うといった工程を経ることで製造していた。
【０００３】
【発明が解決しようとする課題】
ところが、上述のような鍛造によるフォークの製造法の場合は、その製造に手間が掛かり過ぎ、高価格になるという点に問題があり、特に大型車に用いられる大型フォークの場合は、それに見合う大型の高価な生産設備が必要になることから、益々高価格品になってしまう。また、鍛造製のフォークは重量が大きく、取り扱い難いとともに、フォークリフトのロストロードを増大する１つの原因ともなる。
【０００４】
本発明の目的は、上述の問題点に鑑み、鍛造製のフォークに比べて軽量かつ安価なフォークを備える大型フォークリフトを提供することにある。
【０００５】
【課題を解決するための手段】
上記課題を解決するために、本発明は次のように構成したものである。即ち、請求項１の発明は、
マストに沿って昇降し、かつ、アッパシャフト及びロアバーを備えるリフトブラケットと、
水平部及び垂直部を有するＬ形に形成され、前記リフトブラケットに対して水平部が上側となる倒立Ｌ形の状態で装着されるフォークと
を備え、
コンテナの荷役作業を行うコンテナスプレッダを装着する大型フォークリフトであって、
前記フォークは、それぞれＬ形に形成された左右の側板と、天板と、底板とを箱形をなすように組み合わせて溶接にて結合することによって構成され、
前記フォークの垂直部における左右の側板の外面の厚み方向の中央部分に、短軸状に形成された左右の継ぎ部材を横向きに突出して溶接し、
前記フォークを前記リフトブラケットに装着するためのフォーク装着板には、シャフト挿通用の取付孔、及び、その取付孔の下側に形成された継ぎ部材嵌め込み用の開口部が形成され、
前記左右の継ぎ部材に、前記左右のフォーク装着板の開口部を嵌め込んだ状態で溶接し、
前記フォークは、前記左右のフォーク装着板のシャフト挿通用の取付孔を前記リフトブラケットのアッパシャフトに嵌め込むことによって装着されるとともに、前記垂直部の下部が前記リフトブラケットのロアバーの前面に当接支持される構成とした
ことを特徴とする。
上記のように構成された請求項１の発明によれば、フォークが箱形構造であるため、軽量なフォークが提供される。また、板材から規定寸法で各板をそれぞれ切り出したのち、天板と底板にそれぞれＬ形の曲げ加工を加え、その後それらを溶接にて結合することによってフォークを製造できるため、鍛造で製造していた従来のフォークに比べて短時間での製作が可能となる。即ち、製造時間の短縮が図れるとともに、汎用性のある生産設備を用いての生産が可能なことから、安価なフォークを備える大型フォークリフトが提供される。
【０００６】
【発明の実施の形態】
以下、本発明の実施の形態を図面に基づいて具体的に説明する。先ず、図１〜図３に示す一実施の形態を説明する。図１はフォークリフトに装着されたフォークの側面図であり、図２は図１のＡ−Ａ線断面図、図３は図１のＢ−Ｂ線断面図である。本実施の形態に係るＬ形のフォーク１は、コンテナの荷役作業を行うコンテナスプレッダを装着するための大型フォークリフト用であって、基本的には左右の側板２と、天板３と、底板４との４枚の板材を溶接にて結合することによって構成され、そしてフォークリフトのマスト８に沿って昇降するリフトブラケット９に対して水平部１ａが上側となる倒立Ｌ形の状態で装着される。
【０００７】
フォーク１を構成する４枚の板材のうち、左右の側板２は鉄板又は鋼板を溶断することによって規定寸法のＬ形に切り出され、また、天板３及び底板４は同様に規定寸法の略帯板状に切り出される。その後、天板３及び底板４は中央部付近でＬ形に曲げ加工される。このようにして形成した４枚のＬ形の板材を箱形に組み合わせてその接合面をそれぞれ溶接にて結合することにより図示のようなフォーク１を構成している。
【０００８】
この場合、図２に示すように、天板３と底板４との間に左右の側板２が若干内側に入り込むように配置して溶接することによって、フォーク１における水平部１ａの上下面及び垂直部１ｂの前後面をそれぞれ平滑な面に形成することができる。また、その後、フォーク１の水平部１ａの先端開口部と、垂直部１ｂの下端開口部には、それぞれ矩形の蓋板５を嵌め込んで溶接する。
【０００９】
さらにまた、フォーク１の垂直部１ｂの上端側には、左右２枚の縦長のフォーク装着板６が溶接によって結合される。本実施の形態においては、図１及び図３に示すように、左右の側板２の外面に継ぎ部材７を溶接し、その継ぎ部材７にフォーク装着板６を溶接する構成としている。
継ぎ部材７は例えば図示のような楕円の短柱状に形成されており、側板２の厚み方向（直立部前後方向）の略中央位置に横向きに突出して溶接される。フォーク装着板６は下側に設けた開口部６ａを継ぎ部材７に嵌め込むとともに天板３及び底板４の端面に当接した状態で該継ぎ部材７に対して溶接される。
【００１０】
そして、フォーク１は図１に示すように、フォーク装着板６の上端側に設けられたシャフト挿通用の取付孔６ｂを、リフトブラケット９のアッパシャフト９ａに嵌め込むことによって装着され、その状態で垂直部１ｂの下部後面がリフトブラケット９のロアバー９ｂ前面に当接支持される。
【００１１】
本実施の形態に係るフォーク１は、上述のように、左右の側板２、天板３、底板４の４枚の板材を箱形に組み合わせて溶接によって結合する構造としたので、従来の鍛造製のフォークに比べて製作のための手間を著しく低減することが可能となる。
また、入手の容易な市販品を用いてフォーク１を製作することができ、しかも必要な加工は、主として溶断、曲げ、溶接の３種類であり、それらは全て汎用されている既存の設備（機械）を用いて行い得る類の加工であって、特に長時間を必要とするものでもない。このようなことから、従来に比べて安価なフォーク１を備える大型フォークリフトを提供することができる。また、フォーク１は箱形（中空）構造であるので、鍛造品に比べて軽量化されることになり、フォークリフトのロストロードを低減する上で有効となる。
【００１２】
また、本実施の形態では、側板２、天板３及び底板４の全てが１枚板であり、しかも側板２を天板３と底板４との間に配置して溶接する構造としたので、結合部（溶接部）がフォーク１の曲げ方向に対して表面に露出しない。このため、品質の安定化が図られる。また、フォーク装着板６を継ぎ部材７を介して側板２の厚み方向の中央部分に結合する構成、即ち、フォーク１に発生する曲げ応力の少ない中立面に結合する構成としたので、強度的に安定した高品質フォークが提供される。
【００１３】
また、フォーク１の水平部１ａは、一般に図１に示す如く先端側がやや細くなるようにテーパ状に形成されるが、その場合、側板２を溶断で切り出すに際して容易に所望の形状を得ることができる。
【００１４】
【発明の効果】
以上詳述したように、本発明によれば、Ｌ形の板材を溶接で結合して箱形のフォークを構成したので、従来の鍛造製のフォークに比べて軽量かつ安価なフォークを備える大型フォークリフトを提供することができる。
【図面の簡単な説明】
【図１】  一実施の形態に係るフォークを示す側面図である。
【図２】  図１のＡ−Ａ線断面図である。
【図３】  図１のＢ−Ｂ線断面図である。
【符号の説明】
１…フォーク
１ａ…水平部
１ｂ…垂直部
２…側板
３…天板
４…底板
６…フォーク装着板
６ａ…継ぎ部材嵌め込み用の開口部
６ｂ…シャフト挿通用の取付孔
７…継ぎ部材
８…マスト
９…リフトブラケット
９ａ…アッパシャフト
９ｂ…ロアバー
【図１】
0003716550.tif 000002
【図２】
0003716550.tif 000003
【図３】
0003716550.tif 000004